Podtech/llm-jp-corpus-v4-ja_patent huggingface dataset:
(57)【要約】      （修正有）【課題】従来の木製合板（ベニヤ板）である公職選挙ポスター掲示場用掲示板をアルミ製にすることこより繰り返し使用することが出来るようにする。掲示板の裏面に取り付けレールを設けることにより簡単に取り付け取り外しが可能になる。【解決手段】アルミ製掲示板１をアルミ製又は鉄鋼板製又は木製の主柱の対に取り付け金具７及び取り付け金具固定ボルト・ナット８により接合し、公職選挙ポスター掲示場用掲示板として設置する。【選択図】図４
0003134626.tif 000002
【実用新案登録請求の範囲】
【請求項１】
アルミ製ポスター掲示板１又は４又は５をアルミ製又は鉄鋼板製又は木製２の対又は３の対に専用の取り付け用金具７と取り付け用金具固定ボルト・ナット８によりアルミ製ポスター掲示板の裏面に施工した補強板兼取り付けレールに簡易に取り付け取り外しすることの出来る公職選挙ポスター掲示場用掲示板。
【考案の詳細な説明】
【考案の詳細な発明】
【考案が解決しょうとする課題】
【０００１】  従来の木製合板（ベニヤ板）である公職選挙ポスター掲示場用掲示板は、木製であるために腐食又は破損を免れず、再利用することもなく一回の使用のみで破棄処分されている。そのため選挙が行なわれる度に木製合板（ベニヤ板）によるポスター掲示板の製作がなされ、選挙の告示日にならないと選挙立候補者の正確な人数が判明しないため、実際の選挙立候補者の人数が判明したときに、ポスター掲示板の製作枚数に増減が発生するという問題点を有していた。また、掲示板の製作及び設置作業は専門の業者によって選挙の度に行なわれている。
【問題を解決するための手段】
【０００２】  上記の問題点を解決するために、木製合板（ベニヤ板）の公職選挙ポスター掲示場用掲示板をアルミ製にする。掲示板の裏面に補強板兼取り付けレールを施工する。
【考案の効果】
【０００３】  掲示板をアルミ製にすることにより腐食や破損を防ぐことが出来るので、事前に製作し確保保管することが可能であり繰り返し使用することが出来る。また、アルミ製掲示板１にアルミ製掲示板４又は５を組み合わせることによって、選挙立候補者数の増減があっても無駄なく迅速に対応することが出来る。また、取り付けレールを設けることによって誰でも簡単にポスター掲示板を組み立て設置することが出来る。
【図面の簡単な説明】
【図１】アルミ製ポスター掲示板Ａタイプと掲示板取付け主柱（打ち込み埋設型）Ｙタイプ及び（据え置き兼埋設型）Ｚタイプを組み合わせたときの正面図である。
【図２】ポスター掲示板Ｂタイプの正面図である。
【図３】ポスター掲示板Ｃタイプの正面図である。
【図４】ポスター掲示板Ａタイプ及びＣタイプと取り付け主柱の上視図である。
【図５】ポスター掲示板Ａタイプ及びＢタイプ及びＣタイプと取り付け主柱の側面図である。
【図６】ポスター掲示板Ａタイプ及びＣタイプと掲示板取り付け主柱Ｚタイプ及びＹタイプの後面図である。
【図７】ポスター掲示板の組み立て要領の斜視図である。
【符号の説明】
１  選挙管理委員会の公示内容文掲載欄のあるアルミ製ポスター掲示板Ａタイプ（１〜６人用）
２  アルミ製ポスター掲示板取り付け用打ち込み埋設型主柱Ｙタイプ
３  アルミ製ポスター掲示板取り付け用据え置き兼埋設型主柱Ｚタイプ
４  アルミ製ポスター掲示板Ｂタイプ（７〜１０人用）
５  アルミ製ポスター掲示板Ｃタイプ（７〜１４人用）Ｎｏ．７１４
〃                  （１５〜２２人用）Ｎｏ．１５２２
〃                  （２３〜３０人用）Ｎｏ．２３３０
〃                  （３１〜３８人用）Ｎｏ．３１３８
〃                  （３９〜４６人用）Ｎｏ．３９４６
〃                  （４７〜５４人用）Ｎｏ．４７５４
〃                  （５５〜６２人用）Ｎｏ．５５６２
〃                  （６３〜７０人用）Ｎｏ．６３７７
〃                  （７１〜７８人用）Ｎｏ．７１７８
〃                  （７９〜８６人用）Ｎｏ．７９８６
〃                  （８７〜９４人用）Ｎｏ．８７９４
〃                  （９５〜１０２人用）Ｎｏ．９５１０２
６  ポスター掲示板補強板兼取り付けレール
７  ポスター掲示板取り付け金具
８  取り付け金具固定ボルト・ナット
【図１】
0003134626.tif 000003
【図２】
0003134626.tif 000004
【図３】
0003134626.tif 000005
【図４】
0003134626.tif 000006
【図５】
0003134626.tif 000007
【図６】
0003134626.tif 000008
【図７】
0003134626.tif 000009
(57)【要約】      （修正有）【課題】溝蓋の盗難を防止するために溝蓋と側溝を連結固定する溝蓋の盗難防止装置を提供する。【解決手段】側溝２ヶ所に距離をあけてそれぞれアンカー３２を埋設し、アンカーの端先３２１を側壁内側へ突出させ、一列に敷設された溝蓋２には連結孔３１２が設けられた連結金具３１を設け、１本の長尺な鎖３３の末端部を側溝側壁１２から２ヶ所突出した一方のアンカー端先３２１へ固定し、アンカー上部にある溝蓋の連結金具３１の連結孔３１２へ挿入し、隣接する溝蓋の連結金具３１の連結孔３１２に順次鎖３を挿入し、鎖の先端部を側溝側壁１２から２ヶ所突出させた他方のアンカー端先３２１へ固定する。又、連結金具３１へ鎖３３を挿入し連結した複数の溝蓋２を側溝１へ敷設する時、鎖３はたるむ程度にゆとりを持たせておく。【選択図】図３
0003134694.tif 000002
【実用新案登録請求の範囲】
【請求項１】
側溝に連続して敷設される溝蓋と側溝において、溝蓋には連結金具が設けられ、連続して敷設される溝蓋は連結金具を介して長尺な鎖で連結され、長尺な鎖の両端部は前記側溝へ固定する事を特徴とした溝蓋の盗難防止装置。
【請求項２】
長方形状の鋼板を折り曲げてコの字状を形成し、狭持面には連結孔を設け、両狭持面が溝蓋の構成部材を挟み込むように該連結金具を溝蓋の構成部材間へ落とし込み、長尺な鎖を連結孔へ挿入させる構造の連結金具が特徴の請求項１記載の溝蓋の盗難防止装置。
【請求項３】
長尺な鎖はたるませてゆとりを持たせて、両端部を側溝へ固定させたことを特徴とする請求項１又は２記載の溝蓋の盗難防止装置。
【考案の詳細な説明】
【技術分野】
【０００１】
本考案は、側溝等に連続して敷設される溝蓋の盗難防止装置に関する。
【背景技術】
【０００２】
近年スクラップ市場の高騰で転売目的による溝蓋の盗難が社会問題となり、盗難防止装置が設けられた溝蓋の需要は高まっている。
道路等に設けられた側溝等には溝蓋が連続して敷設され、溝蓋と側溝は鎖等によって連結された盗難防止装置が設けられている。盗難防止装置は側溝内側へ突出させたアンカーを側溝に設け、溝蓋には連結金具が設けられ鎖の一方の端部はアンカーに固定し、鎖のもう一方の端部は連結金具に固定し溝蓋と側溝を連結した構造となっている。
【特許文献１】実開昭６２−１１０３７８号公報
【特許文献２】実開昭６４−３７５９１号公報
【考案の開示】
【考案が解決しようとする課題】
【０００３】
従来の溝蓋盗難防止装置は溝蓋１枚につき１つの連結金具と１つのアンカーと１本の鎖が必要であり、施工性が悪くコストもかかり問題があった。特に、既設で使用されている溝蓋に盗難防止装置を後施工する場合、アンカー埋設作業を側溝内等狭い場所で行うので施工性が悪く、また、後施工用アンカーも高価なためコストがかかっている。
【課題を解決するための手段】
【０００４】
請求項1に係る考案は、側溝に連続して敷設される溝蓋と側溝において、溝蓋には連結金具が設けられ、連続して敷設される溝蓋は連結金具を介して長尺な鎖で連結され、長尺な鎖の両端部は前記側溝へ固定する事を特徴としている。
【０００５】
請求項２に係る考案は、請求項１に係る考案において、長方形状の鋼板を折り曲げてコの字状を形成し、狭持面には連結孔を設け、両狭持面が溝蓋の構成部材を挟み込むように該連結金具を溝蓋の構成部材間へ落とし込み、長尺な鎖を連結孔へ挿入させる構造の連結金具が特徴としている。
【０００６】
請求項３に係る考案は、請求項１と請求項２に係る考案において、長尺な鎖はたるませてゆとりを持たせて、両端部を側溝へ固定させたことを特徴としている。
【考案の効果】
【０００７】
請求項１に係る考案によると、側溝へ連続して敷設された溝蓋と側溝を１本の長尺な鎖で連結することにより、また連結金具を取外すには手間や時間がかかることから、心理的な面を含め盗難防止効果を生じる。
請求項２に係る考案の連結金具を用いた場合、連結金具を溝蓋へ設ける際溶接して固定する必要がなく、また螺子等を使用して固定する必要もないので固定の為の部品数が増える事がなく、連結金具を溝蓋の構成部材間へ落とし込むだけで良く、また長尺な鎖と連結金具を連結する方法も連結金具の連結孔へ長尺な鎖を挿入するだけでよいので連結金具を介して溝蓋と長尺な鎖の連結が容易に行う事ができる。
請求項３に係る考案においては、連結金具に連結した１本の長尺な鎖をたるませる事で溝蓋を１枚ずつ開閉する作業が支障なく行え、またアンカー本数を溝蓋枚数と同じだけそろえる必要はないため施工性がよくコストも安価となる。
【考案を実施するための最良の形態】
【０００８】
以下、本考案の実施形態の溝蓋の盗難防止装置について図面により説明する。
図１に示すように底壁（１１）の両側から側壁（１２，１２）が起立して上方が開口した断面コの字型側溝本体（１）の上方開口部に複数の溝蓋（２）を一列に設置する前記側溝（１）と溝蓋（２）の盗難防止装置において、図２に示すように側溝２ヶ所に距離をあけてそれぞれアンカー（３２）を埋設し、該アンカーの端先（３２１）を側壁内側へ突出させる。図４に示すように連結金具（３１）は長方形状の鋼板を折り曲げてコの字状中空の狭持体を形成し、コの字型に折り曲げられた狭持面（３１１）には連結孔（３１２）を設け、両狭持面（３１１，３１１）が溝蓋の構成部材（２１）、主部材（２１１）でも補助部材（２１２）でも良いが好ましくは主部材（２１１）をまたぐように該連結金具（３１）を溝蓋（２）の主部材間（２１１，２１１）へ落とし込み、一列に敷設する溝蓋の連結部材となる１本の長尺な鎖（３３）の末端部を側溝側壁（１２）から２ヶ所突出した一方のアンカー端先（３２１）へ例えばリンク機構等を使用して固定し、該アンカー上部にある溝蓋の連結金具（３１）の連結孔（３１２）へ挿入し、隣接する溝蓋（２）の連結金具（３１）の連結孔（３１２）に順次鎖（３）を挿入し、鎖の先端部を側溝側壁（１２）から２ヶ所突出させた他方のアンカー端先（３２１）へ例えばリンク機構等を使用して固定する。又、連結金具（３１）へ鎖（３３）を挿入し連結した複数の溝蓋（２）を側溝（１）へ敷設する時、鎖（３）はたるむ程度にゆとりを持たせておく。
【図面の簡単な説明】
【０００９】
【図１】本考案の連結固定装置を示す側面図
【図２】本考案の連結固定装置を示す一部切断平面図
【図３】本考案の連結固定装置を示す一部切断斜視図
【図４】（ａ）は本考案の固着金具の斜視図、（ｂ）は本考案の固着金具の側面図
【符号の説明】
【００１０】
１    側溝
１１・・・底壁
１２・・・側壁
２    溝蓋
２１・・・構成部材
２１１・・・主部材
２１２・・・補助部材
３    盗難防止装置
３１・・・連結金具
３１１・・・狭持面
３１２・・・連結孔
３２・・・アンカー
３２１・・・端先
３３・・・鎖
【図１】
0003134694.tif 000003
【図２】
0003134694.tif 000004
【図３】
0003134694.tif 000005
【図４】
0003134694.tif 000006
(57)【要約】      （修正有）【課題】品物の在庫管理が容易で部品点数が少なくすみ、製造コストの低減をはかる事の出来るゴミ袋支柱スタンドを提供する。【解決手段】４本の支柱と２本の板状基板からなり、４本の各支柱がネジ部を有し、支柱にはゴミ袋保持用ナットを取付可能とし、２つの板状基板は両端に支柱を取付けるメスネジを有し、２つの板状基板は中央部がピンにより留められピンを中心として回転可能になっている組立式ゴミ袋保持具とした。【選択図】図１
0003134700.tif 000002
【実用新案登録請求の範囲】
【請求項１】
４本の支柱と２本の板状基板からなり、４本の各支柱がネジ部を有し、支柱にはゴミ袋保持用ナットを取付可能とし、２つの板状基板は両端に支柱を取付けるメスネジを有し、２つの板状基板は中央部がピンにより留められピンを中心として回転可能になっている組立式ゴミ袋保持具。
【考案の詳細な説明】
【技術分野】
【０００１】
本考案は廃棄物などのゴミ袋を収納口を大きく拡げた状態で保持する器具に関するものである。
【背景技術】
【０００２】
廃棄物用ゴミ袋は作業しながらゴミ袋を使用するには、ゴミ袋を広く拡げた状態にしておく必要がある。このため、ゴミ袋を拡げた状態で使用できるゴミ用保持具が必要とされる。このようなゴミ袋保持具の例として、文献１、文献２などがある。
【０００３】
しかし、これらはいずれも支柱と基板が一体となっているため収納に場所を取る。また運送する際も嵩張るのでこのための包装容器、ダンボール箱の費用運賃が高くなるという欠点があった。更に、パイプ加工を要するので製作工程に時間がかかりコストが割高となる。又、支柱と基板が溶接されたものもあるが、解体できないため保管に場所を取る。
【０００４】
この改善策として、基台を折畳み型とし支柱を板にボルト締めした文献３がある。しかしながらこの方法でも、基台が大型になり、重量も大きくならざるを得ない。また折畳み機構も複雑で、製作が容易でなく、製作コストも高くなる。
【特許文献１】登録実用３０４９３１４号公報
【特許文献２】実開Ｈ０３−４４１０４号公報
【特許文献３】実開Ｓ４７−２３３８３号公報
【考案の開示】
【考案が解決しようとする課題】
【０００５】
本考案が解決しようとする問題点は、ゴミ袋保持具が収納に場所を取り、保管や輸送に不便なこと、また複雑な機構を有し、製作に手間がかかる点にある。又、数量の把握が困難であり在庫管理が難しい、したがって本考案は品物の在庫管理が容易で部品点数が少なくすみ、製造コストの低減をはかる事の出来るゴミ袋支柱スタンドを提供することにある。
【課題を解決するための手段】
【０００６】
本考案ゴミ袋は、下記の構造をなすことにより、不使用時は棒状に重ねて運搬収納できまた簡単に組立て使用できることを主な特徴とする。
４本の支柱と２本の板状基板からなる組立式で４本の各支柱がネジ回転可能とした。さらに支柱が折れ曲がっても支柱と基板がネジ止めである為簡単に取外すことが出来、まっすぐな支柱部品と交換可能である。
【考案の効果】
【０００７】
本考案のゴミ袋保持具は、簡単に組立て可能で、棒状に東ねることにより収納場所も小さくでき、部品数も少なく、軽量かつ安価である点に利点がある。
また、本保持具は金属製部品からなるが、支柱は軽量のアルミパイプを用いれば、軽く、錆たり、汚れたりすることがない。かつ、支柱にはネジがついており、袋取付時に上下調整できるので、ゴミ袋の取付位置が調節できる。支柱は既存の全ネジボルトをそのまま使用できるので新たに塗料の吹付けや錆止め処理の手間が要らない。一般に全ネジボルトは錆止め加工がされている。
１．本考案の器具を用いると袋を開口した状態で支持することが出来るため一人で作業ができる。
２．不使用時には器具を折畳んでコンパクトにすることができ運搬や収納に嵩張らないようにすることができるので、運搬費用が安くなる。
３．当器具は折畳み分解すると棒状となる為、運搬車への１回の積載量を上げることができ、かつ単位当りの運搬費の節減ができる。包装の場合は、縦長の袋に収容できる。
在来技術としては、文献１（第３０４９３１４号）があるが、４本の支柱と２本の板状基板が一体に溶接されているために１パレット当り５０台しか乗せられない為、運搬費用が高額になる。ネジ式は基台と支柱が分解できる。しかも整然と積重ねることができるので数量の確認が容易であり、在庫管理が楽になった。また、ネジにする事により脱着を可能にし、かつ折畳みにすることでよりコンパクトになり今までの保管スペースを１／１０位にする事が出来る。
【考案を実施するための最良の形態】
【０００８】
２本の板状基板を留めピンを中心にして９０度に交差させ床上または地上に置く。次に基板の両端のメスネジに支柱のオスネジを差込み、固定する。固定した支柱のゴミ袋係止部にゴミ袋の穴（通常４箇所）を差込み、ゴミ袋を支柱に固定する。ゴミ袋に廃棄物が一杯になったら、ゴミ袋を係止部から取り外し、ゴミ袋を閉じて、次の未使用のゴミ袋を支柱に取付けて使用する。ゴミ袋の使用が終わったら、支柱を取外し、２本の板状基板を平行にして、４本の支柱と重ね合わせて収納庫に保管する。
１．２本の基台を直角（９０度）に拡げ、基台の４本の支柱を差し込んで（ねじ込んで）取り付ける。
２．支柱の上部ナットに袋本体のハトメの穴を引っ掛け、袋は地面に着地させゴミ袋を支柱に固定する。
３．ゴミ袋の使用が終わったら、支柱を取外し２本の板状基板を平行にして４本の支柱と重ね合わせ棒状にして収納庫に保管する。
【産業上の利用可能性】
【０００９】
本考案のゴミ袋保持具は、家庭用から工場や工事現場など、多量に発生する、しかも重量物などを廃棄する場所に設置できる。とくに使用しない時の保管場所に余裕がないとか、運送費を節約するのに極めて効果的である。
【図面の簡単な説明】
【００１０】
【図１】ゴミ袋を取付け前のゴミ袋保持具組立図を示した説明図である。
【図２】ゴミ袋を取付け後のゴミ袋保持具を示した説明図である。
【図３】支柱を分解した状態図である。
【図４】基板収納時の状態図である。
【図５】基板を広げた状態図である。
【図６】基板の結合部の詳細図を示す。
【符号の説明】
【００１１】
１    支柱
２    支柱
３    支柱
４    支柱
５    ネジ部
６    ネジ部
７    ネジ部
８    ネジ部
９    基板
１０    基板
１１    結合ピン
１２    ワッシャー
１３    ごみ袋保持用ナット
１４    ごみ袋保持用ナット
１５    ごみ袋保持用ナット
１６    ごみ袋保持用ナット
【図１】
0003134700.tif 000003
【図２】
0003134700.tif 000004
【図３】
0003134700.tif 000005
【図４】
0003134700.tif 000006
【図５】
0003134700.tif 000007
【図６】
0003134700.tif 000008
(57)【要約】【課題】  本考案は，センサー付電気機器でなくても，センサー付電気機器と同様な機能を持つことができるようにしたものである。【解決手段】  本考案は，センサー付でない電気機器とコンセントの間にセンサー付タップを入れることにより，センサー付電気機器と同様な機能を持たせることができ低価格で省エネルギーにもなる。また，センサー部が故障や機能が低下しても着脱方式にすると交換も素人でも簡単に取り換えることができる【選択図】図３
0003134663.tif 000002
【実用新案登録請求の範囲】
【請求項１】
電気器具のコンセントに差込むタップに関するもので，それには，
（１）  コンセントに差し込むプラグの部分，
（２）  他の電気機器の差込みプラグを受けるコンセント部分，
（３）  物の動きや熱を感知するセンサー部と時間調節可能なタイマー部を一体としたものを，（２）の上に取り付け，着脱が簡単にできるようにした部分，
以上の部分からなるタップである。
【考案の詳細な説明】
【技術分野】
【０００１】  本考案は，家屋内外の電気器具のコンセントに差し込んで使用するタップに関するもので，さらに，省エネルギー少資源にも寄与するものである。
【背景技術】
【０００２】  従来の電気機器には本来の機能だけ備えたものと，本来の機能にセンサー・タイマー部を組み込んで一体としたものが多くあり，使用する場合にはコンセントにプラグを差し込んで使用している。
【考案の開示】
【考案が解決しようとする課題】
【０００３】  しかし，従来の電気機器とセンサー・タイマー一体型のものはセンサー部やタイマー部の故障や機能低下で本来の機能が使用できないことになると，高額な修理費用がかかるか買い換えなければならない。
【課題を解決するための手段】
【０００４】  そこで，従来のタップにセンサー・タイマー部を組込み一体型のものにすれば，電気機器本来の機能だけのものでも電気機器本来の機能にセンサー・タイマー組込みのものと変わらない働きをするので，特別に高価なセンサー付の物を買い求めなくてもよい。また，センサー・タイマー部が故障又は破損した場合でも，その部分だけを着脱方式にすれば素人でも簡単に交換でき，しかも，低価格で済む。（図２）
【考案の効果】
【０００５】  よって，本考案のセンサー付タップにより（１）センサー・タイマーが付いていない電気機器でもセンサー・タイマー付と同様な効果が期待できる。（２）センサー・タイマーが故障しても，素人でも簡単にその部分だけの交換できる。（３）修理代も低価格で済む。（４）何よりも良いのは資源が無駄にならないことである。
【考案を実施するための最良の形態】
【０００６】  本考案に係るセンサー付タップは図２に示すように，下部の外見は普通のタップと変わらないが，上部にセンサー・タイマー部を備えており，上部が故障又は機能が低下した場合は簡単に交換できる。
【図面の簡単な説明】
【０００７】
【図１】  本考案センサー付タップの基本回路である。
【図２】  本考案センサー付タップの立体図である。
【図３】  本考案センサータップ付を使用する場合の立体図である。
【符号の説明】
【０００８】  １  センサー・タイマー部
２  電気入力部
３  電気出力部
４  壁側コンセント
【図１】
0003134663.tif 000003
【図２】
0003134663.tif 000004
【図３】
0003134663.tif 000005
(57)【要約】      （修正有）【課題】改良されたストレート練習ボールは、さらにスピンを与えやすくし、スピードの増加、コントロールの養成、暴投の防止に役立つ。【解決手段】ボールを筒状にし、中央部を球体にし、スピン（回転）を与えなければ、遠くに届かないようにする。また、中央から白黒に塗り分け、投球した後、時計回りの上下のスピン（回転）が確認をできるようにする。【選択図】図２
0003134662.tif 000002
【実用新案登録請求の範囲】
【請求項１】
野球の投球において、ボールを筒状にした、ストレート（直球）練習ボールを登録（登録第３１３１７３５号）したが、今回は、筒状の中心部を球体にし、よりボールにスピン（回転）を与えやすく改良した練習ボール。
【考案の詳細な説明】
【技術分野】
【０００１】  本考案は、野球の投球において、すでに登録している、ストレート（直球）練習ボール（登録第３１３１７３５号）を改良し、さらにスピン（回転）のきいたストレート（直球）を正しく投球する練習ボールである。
【背景技術】
【０００２】  野球の練習や試合において、ボールに十分なスピン（回転）を与えず、投球するため、スピードがなかったり、コントロール（制球力）が養成されなかったり、手離れが早くなり暴投したりする。
【考案の開示】
【考案が解決しようとする課題】
【０００３】  野球の練習や試合において、ボールに十分なスピン（回転）を与えて、スピードの増加、コントロール（制球力）の養成、且つ手離れをおそくし暴投をなくすことである。
【課題を解決するための手段】
【０００４】  ボールを筒状にし、中央部を球体にし、、スピン（回転）を与えなければ、遠くに届かないようにする。また、中央から白黒に塗り分け、投球した後、時計回りの上下のスピン（回転）が確認をできるようにする。
【考案の効果】
【０００５】  本考案のストレート（直球）練習ボール２は、筒状の中央部が、球体になっているので、スピン（回転）を与えなければ遠くに届かない。このため手離れをおそくし、スピン（回転）を与えて投球することが自然に習得できる。また、中央から白黒に塗り分けてあるため、投球後、時計回りの上下のスピン（回転）が確認できる。さらに、横振れの確認もできる。横振れは、ボールがシュート回転になるという欠点であり、これも同時に是正することができる。
【考案を実施するための最良の形態】
【０００６】  本考案のストレート（直球）練習ボール２は、ボールを筒状にし中央部を球体にすることである。筒の形態は、円柱、六角柱、八角柱等である。筒の長さ、底面の半径は、小、中、高校生の使用にあわせて大きくしていく。素材は、耐久性のプラスチック等で製作する。
【実施例】
【０００７】  本考案のストレート（直球）練習ボール２の中央部を、人差し指、中指、親指で握り、時計回りの上下の回転（スピン）を与えて投球する。スピン（回転）を与えるには、３本の指で、転がすように投球する。【０００８】  また、本考案のストレート（直球）練習ボール２で、スピン（回転）を与えることが習得できた後は、５本の指で握り、逆にスピン（回転）を少なくし、チェンジアップの投法も練習できる。【０００９】  さらに、本考案のストレート（直球）練習ボール２に与えるスピン（回転）の多少、方向等によって、他の球種（シンカー、カーブ、シュート等）も練習できる。
【図面の簡単な説明】
【００１０】
【図１】ストレート（直球）練習ボール２の見取り図である。
【図２】ストレート（直球）練習ボール２の断面図である。
【図３】ストレート（直球）練習ボール２の実施例である。
【符号の説明】
【００１１】    １  筒
２  球体部
３  スピン（回転）の方向
４  白色に塗った部分
５  黒色に塗った部分
【図１】
0003134662.tif 000003
【図２】
0003134662.tif 000004
【図３】
0003134662.tif 000005
(57)【要約】      （修正有）【課題】ノート型パソコンで作業中に後方から覗かれていないかの確認ができる鏡で、ノート型パソコンに簡単に装着でき、かつ携帯に便利な形状を提供する。【解決手段】ジャバラ構造やねじ構造でできた伸縮性のある連結体３の一方の端に凸面鏡１が、他端にはベース部分２が固着されており、薄型ディスプレイなどに装着する場合は伸縮性のある連結体で凸面鏡とベース部分の間隔を調節して挟み込むことができ、装着せずに携帯する場合は、伸縮性のある連結体を短くすることで全体の厚みを減らしコンパクトな形状にすることができることを特徴とする携帯型後方確認鏡。【選択図】図１
0003134661.tif 000002
【実用新案登録請求の範囲】
【請求項１】
薄型ディスプレイ上端部などに挟んで装着できる携帯型後方確認鏡で、伸縮性のある連結体の一方の端に凸面鏡が、他端にはベース部分が固着されており、装着する場合は伸縮性のある連結体で凸面鏡とベース部分の間隔を調節して挟み込み、装着せずに携帯する場合は、伸縮性のある連結体を短くすることで全体の厚みを減らしコンパクトな形状にすることができることを特徴とする携帯型後方確認鏡。
【請求項２】
ベース部分の形状が皿型で伸縮性のある連結体を短くしたときに凸面鏡とベース部分の間に包み込むように格納できる請求項１の携帯型後方確認鏡。
【請求項３】
伸縮性のある連結体がねじ構造である請求項１の携帯型後方確認鏡。
【請求項４】
伸縮性のある連結体がねじ構造であり、凸面鏡の裏側に雌ねじもしくは雄ねじが固着もしくは一体に形成され、これに対応してベース部分に雄ねじもしくは雌ねじが固着もしくは一体に形成されている請求項１の携帯型後方確認鏡。
【請求項５】
伸縮性のある連結体がジャバラ構造である請求項１の携帯型後方確認鏡。
【請求項６】
伸縮性のある連結体の端部と凸面鏡もしくはベース部分が弾性体を挟んで接合されていて、凸面鏡と皿状のベース部分の一端を摘むことで反対側を広げて挟み込みやすくし、摘むのをやめることで挟み込んで装着できる請求項１の携帯型後方確認鏡。
【請求項７】
伸縮性のある連結体の端部と凸面鏡もしくはベース部分が角度自在で固定できるように接合されている請求項１の携帯型後方確認鏡。
【請求項８】
ベース部分にマグネットを内臓している請求項１の携帯型後方確認鏡。
【考案の詳細な説明】
【技術分野】
【０００１】    本考案は、薄型ディスプレイ用携帯型後方確認鏡に関する。
【背景技術】
【０００２】  ノート型パソコンなどの薄型ディスプレイで作業中に後方から覗かれていないかの確認をするために一般的に小型の鏡が利用されている。
【考案の開示】
【考案が解決しようとする課題】
【０００３】  解決しようとする問題点は、ノート型パソコンなどの薄型ディスプレイで作業中に後方から覗かれていないかの確認ができる鏡で、薄型ディスプレイに簡単に装着でき携帯に便利な形状のものがなかった点である。
【課題を解決するための手段】
【０００４】  主に薄型ディスプレイ上端部に設置して利用できる携帯型後方確認鏡で、伸縮性のある連結体の一方の端に凸面鏡が、他端には皿状のベース部分が、弾性体を挟んで固着されていることを特徴とする。
【考案の効果】
【０００５】  本考案を薄型ディスプレイに装着する場合は、伸縮性のある連結体の長さを調整しながら、凸面鏡と皿状のベース部分で薄型ディスプレイ上端部を挟みこむように装着する。【０００６】  本考案を薄型ディスプレイ上端部に挟みこむためには、伸縮性のある連結体で凸面鏡と皿状のベース部分の間隔を調節した後、指で凸面鏡とベース部分の一端を軽く摘むことで伸縮性のある連結体につけられた弾性体が伸び、凸面鏡と皿状のベース部分の摘んだ一端の反対側が少し広がり、薄型ディスプレイ上端部に挟みこみやすくなり、挟み込んだ後に摘むのをやめることで、伸縮性のある連結体につけられた弾性体が元の状態に戻り、本考案の後方確認鏡が薄型ディスプレイ上端部に装着される。【０００７】  皿状のベース部分もしくは伸縮性のある連結体の素材に弾性があり、指で凸面鏡とベース部分の一端を軽く摘んだ時に弾性体なしでも摘んだ一端の反対側が少し広がる効果が得られる場合は、皿状のベース部分と伸縮性のある連結体の間の弾性体を省き皿状のベース部分と伸縮性のある連結体を直接固着する、もしくは一体に成型することができる。【０００８】  本考案を薄型ディスプレイに装着せずに携帯する場合は、伸縮性のある連結体の長さを短くして皿状のベースと凸面鏡の間に格納することで本考案の後方確認鏡全体の厚みが減りコンパクトな形状にすることができる。【０００９】  皿状のベース部分にマグネット内蔵することでスチール製の壁面に設置して利用することもできる。
【考案を実施するための最良の形態】
【００１０】  伸縮性のある連結体の一方の端に凸面鏡が、他端には皿状のベース部分が、弾性体を挟んで固着されている形態にすることで薄型ディスプレイに簡単に装着でき携帯に便利な形状の後方確認鏡を提供することを実現する。【００１１】  伸縮性のある連結体がねじ構造の場合、雄ねじ部分または雌ねじ部分を凸面鏡もしくは皿状のベース部分に一体化して成型することで全体の部品数を減らすことができる。
【実施例】
【００１２】  図１は、本考案の実施例の一つで、伸縮性のある連結体がねじ構造の場合で、凸面鏡の裏側に雌ねじ部分が固着され、皿状のベース部分に雄ねじ部分が、弾性体を挟んで固着されている全体構成図である。【００１３】  図２は、本考案の実施例の一つで、伸縮性のある連結体がねじ構造の場合の断面図である。【００１４】  皿状のベース部分もしくは伸縮性のある連結体の素材に弾性があり、指で凸面鏡とベース部分の一端を軽く摘んだ時に弾性体なしでも摘んだ一端の反対側が少し広がる効果が得られる場合は、皿状のベース部分と伸縮性のある連結体の間の弾性体を省き皿状のベース部分と伸縮性のある連結体を直接固着する、もしくは一体に成型することができる。【００１５】  図３は、本考案の実施例の一つで、伸縮性のある連結体がジャバラ構造の場合の断面図である。【００１６】  ジャバラ構造の伸縮体を持つものを机上などに置いて使用する場合は、皿状のベース部分を下に置きジャバラ構造の長さ及び曲げ角度を調整して利用する。
【産業上の利用可能性】
【００１７】主に薄型ディスプレイ上端部に設置して利用できる携帯型後方確認鏡として利用される。
【図面の簡単な説明】
【００１８】
【図１】は、伸縮性のある連結体としてねじ構造をもつ本考案の全体構成図である。
【図２】は、伸縮性のある連結体としてねじ構造をもつ本考案の断面図である。
【図３】は、伸縮性のある連結体としてジャバラ構造をもつ本考案の断面図である。
【符号の説明】
【００１９】１  凸面鏡
２  皿状のベース部分
３  ねじ構造の支持体
４  ジャバラ構造の伸縮体
５  弾性体
【図１】
0003134661.tif 000003
【図２】
0003134661.tif 000004
【図３】
0003134661.tif 000005
(57)【要約】      （修正有）【課題】特に毎日名札を安全ピンで付ける幼稚園児、保育園児にも今まで以上に安心して安全ピンを使用することが出来るようにする。【解決手段】本考案は、安全ピンの針を収めるプラスチック材の部分にさらに上からキャップをはめることにより、針を二重にカバーし、且つ万一針が外れる事故から防ぎ、主に幼児が安全ピンによって怪我をする事故のリスクを軽減するものである。【選択図】図１
0003134617.tif 000002
【実用新案登録請求の範囲】
【請求項１】
針を収める部分にプラスチック材を使用した大型タイプの安全ピンにおいて、前記の針を収めるプラスチック部分を覆う別個のプラスチックのキャップを有すことを特徴とし、使用時にキャップを取り付けてより安全に使用する安全ピン。
【考案の詳細な説明】
【考案の詳細な説明】
【技術分野】
【０００１】本考案は、名札を付ける際等に利用する針を収める部分にプラスチック材を使用した大型の安全ピンに関するものである。
【背景技術】
【０００２】従来、安全ピンは使用時に本体の針を収める部分に針をひっかけるようにして収めるだけの状態で使用していた。
【考案の開示】
【考案が解決しようとする課題】
【０００３】しかしながら、従来の安全ピンは幼児のように動きも激しく、危険回避能力も充分でない者が使用するには充分安全とは言えず、また、万一の破損の場合においても心配があった。
【課題を解決するための手段】
【０００４】本考案は、名札を付ける際等に利用する針を収める部分にプラスチック材を使用した大型の安全ピンにおいて、針を収める部分を更に別個のプラスチックのキャップで覆うことにより上記課題を解決するものである。
【考案の効果】
【０００５】請求項１の考案によれば、幼児のように何にでも興味を持って触ってみたり、いたずらをしたり、動きも激しく、また万一針を外しても自分で付けられなかったり、気付かなかったりする者が、より安全に安全ピンを使用することができる。
【考案を実施するための最良の形態】
【０００６】図面を参照して本考案の実施の形態を説明する。
プラスチック材を使用した針を収める部分（１）に、別個にプラスチック材のキャップ（２）を有す。（２）は（１）にぴったりはまって固定され、三歳以下の幼児には簡単に外せないものとする。（１）及び（２）の部分にはキャップを付け外しする際に指先を引っ掛ける（３）の部分を設け、（３）の部分には細かい凹凸を付け、指を滑りにくくする。
この安全ピンを使用の際には従来通り、針を（１）の部分にひっかけた後、（２）のキャップを付け、安全ピンを外す際は、（２）のキャップを外してから針を（１）の部分から外す。収納の際にもキャップをつけておけばより安全に収納出来、乳幼児を怪我から守る。
【図面の簡単な説明】
【図１】キャップ付き安全ピンのキャップを外したところと、キャップを付けたところである。
【符号の説明】
１  プラスチック材の針を収める部分
２  プラスチック材のキャップ
３  キャップを付け外しする際に指をひっかける部分
【図１】
0003134617.tif 000003
【図２】
0003134617.tif 000004
【手続補正書】
【提出日】平成19年6月13日(2007.6.13)
【手続補正１】
【補正対象書類名】明細書
【補正対象項目名】全文
【補正方法】変更
【補正の内容】
【考案の詳細な説明】
【考案の詳細な説明】
【技術分野】
【０００１】本考案は、名札を付ける際等に利用する針を収める部分にプラスチック材を使用した大型の安全ピンに関するものである。
【背景技術】
【０００２】従来、安全ピンは使用時に本体の針を収める部分に針をひっかけるようにして収めるだけの状態で使用していた。
【考案の開示】
【考案が解決しようとする課題】
【０００３】しかしながら、従来の安全ピンは幼児のように動きも激しく、危険回避能力も充分でない者が使用するには充分安全とは言えず、また、万一の破損の場合においても心配があった。
【課題を解決するための手段】
【０００４】本考案は、名札を付ける際等に利用する針を収める部分にプラスチック材を使用した大型の安全ピンにおいて、針を収める部分を更に別個のプラスチックのキャップで覆うことにより上記課題を解決するものである。
【考案の効果】
【０００５】請求項１の考案によれば、幼児のように何にでも興味を持って触ってみたり、いたずらをしたり、動きも激しく、また万一針を外しても自分で付けられなかったり、気付かなかったりする者が、より安全に安全ピンを使用することができる。
【考案を実施するための最良の形態】
【０００６】図面を参照して本考案の実施の形態を説明する。
プラスチック材を使用した針を収める部分（１）に、別個のプラスチック材のキャップ（２）を有す。（２）は（１）にぴったりはまって固定され、三歳以下の幼児には簡単に外せないものとする。（１）及び（２）の部分にはキャップを付け外しする際に指先を引っ掛ける（３）の部分を設け、（３）の部分には細かい凹凸を付け、指を滑りにくくする。
この安全ピンを使用の際には従来通り、針を（１）の部分にひっかけた後、（２）のキャップを付け、安全ピンを外す際は、（２）のキャップを外してから針を（１）の部分から外す。収納の際にもキャップをつけておけばより安全に収納出来、乳幼児を怪我から守る。
【図面の簡単な説明】
【０００７】
【図１】キャップ付き安全ピンのキャップを外した図である。
【図２】キャップ付き安全ピンのキャップを付けた図である。
【符号の説明】
【０００８】１  プラスチック材の針を収める部分
２  プラスチック材のキャップ
３  キャップを付け外しする際に指をひっかける部分
(57)【要約】      （修正有）【課題】被載置部に載置して杖を保持する保持具で安全に保持する。【解決手段】被載置部に粘着テープ１又は穴にビスで杖保持具を固定させ、固定された杖保持具は被載置部の端部より中に収納されているので、使用時には杖保持を被載置部の端部まで突出させ使用する。使用後は、杖保持部６を指でつまんで矢印の方向に戻せば杖保持部が収納されて通行の妨げにならない。【選択図】図３
0003134616.tif 000002
【実用新案登録請求の範囲】
【請求項１】
被載置部上に載置して使用する杖保持具であって、
被載置部上に設置される載置部と杖を保持する杖保持部とを備え、
載置部は被載置部上に粘着テ−プ又はビスで固定し、
載置部と杖保持部は回転軸で回転可能に連結してなることを特徴とする杖保持具。
【考案の詳細な説明】
【技術分野】
【０００１】
本考案は被載置部上に載置して使用する杖保持具である。
【背景技術】
【０００２】
従来被載置部上に載置して使用する固定型の杖保持具がある（特許文献１参照）。
【特許文献１】特開２００４−３５０９７０号
【考案の開示】
【考案が解決しようとする課題】
【０００３】
しかしながら、従来の杖保持具では、被載置部上に載置して使用するときも不使用時でも、被載置部の先端（端面部）より杖保持具が突出しているため、通行時に衣服の袖口やスーツの裾に引っかかり非常に危険であるという問題がある。
【課題を解決するための手段】
【０００４】
本考案は、杖保持具を被載置部上に載置する載置部と、杖を保持する保持部とを一体化させ、従来のように被載置部の端部より杖保持具が突出していて危険なため、被載置部上に載置して載置部と杖保持部を回転軸により不使用時に杖保持部を回転させて被載置部端部より内側に収納させて危険を回避させた。
【考案の効果】
【０００５】
上述のように、本考案は、使用時の危険を回避したため病院のカウンター、食堂のテーブル、銀行のカウンター又は家庭の下駄箱の上等、何処にでも簡単に載置して安全、安心して使用することができる。
【考案を実施するための最良の形態】
【０００６】
杖保持具の載置部を被載置部（カウンタ−、テ−ブル）上面の端部近くに粘着テ−プ又はビスで載置する。載置状態のときは、杖保持部が不使用状態になっていて被載置部の端部（１０）より杖保持部は収納されている（図１のＡの状態）。使用時には杖保持部を回転軸を軸に回転させて被載置部より突出させ使用する（図１のＢの状態）。被載置部に載置された杖保持具は使用するときは杖保持具の杖保持部分を指でつまみ回転させて被載置部の端部より突出させれば自動的に固定する。固定された杖保持部に杖を収納して使用する（図３の状態）。
使用後は指で杖保持部を被載置部の端部より回転方向に戻してやる（図1のＡの状態）。戻した杖保持部は被載置部の端部より中に収納され通行の邪魔にならない。
【実施例】
【０００７】
以下図面に従って説明する。
金属板及び粘着テ−プ等で形成されている杖保持具である。
１は、被載置部に杖保持具を固定する粘着テ−プ。
２は、被載置部に固定する粘着テ−プと杖保持部を一体化させる金属板。
３は、杖保持具を一体化させる金属板をより強固にする為の補強板。
４は、杖保持部を使用するとき7の回転軸の軸を回転させて取り出し、取り出した杖保持部が水平を保つ為のストッパ−。
５は、１、２、３の載置部と杖収納口を一体化させる金属板。
６は、杖を収納するときの杖保持部でスプリング式で杖の大小にかかわらず杖を収納できる。
７は、載置部と杖保持部を一体化させ杖保持部を使用するとき、又は不使用時に杖保持部を収納するときに回転させて収納させる回転軸。
８は、杖保持部に杖を収納したときにより安全に使用していただく為の補強磁石。
９は、被載置部に杖保持具を粘着テ−プで固定し、尚安全の為の補強ビス孔。
１０は、被載置部の端部
前述のように  各部品より構成された杖保持具で病院・銀行・薬局等のカウンタ−、食堂のテ−ブル、また家庭の下駄箱等々の上に載置して使用する。私事で恐縮ですが、身体が不自由で杖を使用しています。上記に掲げました場所等、何処へ行っても杖を保持できず自分の腋の下に挟んだり、カウンタ−に立て掛けたり、食堂などは自分の股の間に挟んだりと、いつも苦労しています。現代は、以前と違い床がコンクリ−トで、その上に床材が敷いてあり、立て掛けた杖が倒れると音が大きく響きますので、病院など静かな場所では心臓が痛くなります、そんな事から考えました。
【図面の簡単な説明】
【０００８】
【図１】本考案は杖保持具の実施例を示す断面図である
【図２】本考案は杖保持具の実施例を示す平面図である
【図３】本考案は杖保持具に杖を収納したときの実施例を示す断面図である
【符号の説明】
【０００９】
1 被載置部に杖保持具を固定する粘着テ−プ
2 杖保持部を支える本体
3 杖保持部の補強金物
4 杖保持部の水平を保つストッパ−
5 杖保持部を支えるア−ム
6 杖を保持する為の保持部
7 載置部と杖保持部を一体化する軸
8 杖の落下をより強固にする磁石
9 被載置部に杖保持具をより強固に固定するためのビス孔
10 被載置部の端部
【図１】
0003134616.tif 000003
【図２】
0003134616.tif 000004
【図３】
0003134616.tif 000005
(57)【要約】      （修正有）【課題】右手用、左手用の熊手を作り、柄の先端をロープでつなぎ一対とした両手で使う熊手で、刈り草の寄せ集め持ち運び作業の効率を良くする。【解決手段】２本の熊手１の先端に穴２を開けロープ３でつなぎ両手で使う一対の熊手とし、かき寄せ部分の金棒４を手前側に段々短くする。柄を２本揃えて持ちかき寄せ作業をたやすくするため左手のかき寄せ金棒の付け根に連結用留め金５を付け右手用の金棒の付け根部分の横棒に引っ掛ける。【選択図】図１
0003134632.tif 000002
【実用新案登録請求の範囲】
【請求項１】
右手用と左手用それぞれ二つの熊手に連結用ロープを付けて一対とし、両手で使う熊手とする。
【請求項２】
柄の長さを右手用を長く左手用を短くしスナップを効かせて寄せる持つ作業がたやすく出来るようにする。
【請求項３】
熊手のかき寄せ金棒を右手用１０本の場合左手用は５本にし金棒の角度を手前側に段々短くして斜めにする。
【請求項４】
両手の熊手を併せ持って作業できるよう、左手用のかき寄せ金棒の付根部分に連結用留め金を付け  右手用金棒の付根部分の横棒に引掛けるようにする。
【考案の詳細な説明】
【技術分野】
【０００１】
本考案は、右手用、左手用二つの熊手にロープを付けて一対とし、かき寄せ部分の金棒を手前に段々角度をつけて短くし２本の柄を揃えて持つときのためにかき寄せ金棒の付け根の所に連結金具を付けた両手で使う熊手に関するものである。
【背景技術】
【０００２】
農地や道路、公園など、雑草を刈った後の清掃作業は、熊手を使って行なわれているが、枯れ草のかき寄せ、持ち運び、車等への積み込みなどは、右手に熊手、左手は素手で行うか鎌等を使って行っているのが現状である。
【考案の開示】
【考案が解決しようとする課題】
【０００３】
刈り草をかき寄せた後の、持つ、運ぶ、積む作業は、足元まで手を伸ばす動作を繰り返し行うため    腰への負担が大きい。雑草は所かまわず繁茂するため年に数回の除草作業が必要であるため高齢化の進む農村部などでは、腰の曲げ伸ばしによる疲労は計り知れない。さらに、夏場の雑草刈りでは、蛇、マムシ、ムカデなどの危険な生き物も活動している時期であり、いちいち足元まで手を伸す作業には大いに危険性もある。従って、熊手を両手に持って作業が行えるようにする事で、前述の欠点や課題を解決しようとするものである。
【課題を解決するための手段】
【０００４】
本考案は、右手用、左手用二本の熊手を作り、柄の先端にロープを取り付け連結させる。集めた刈り草を持ちやすくするため、両手に持つ熊手のかき寄せ部分の金棒を段々手前側に短くし角度を付けて斜めにする。また、かき寄せ作業をたやすくする為、左手用は柄の長さを右手用より短くしスナップを効かせて使えるようにする。さらに熊手の柄を２本揃えて、ひとつの熊手としても作業出来る様、柄の下部に連結用留め金を付ける。
【考案の効果】
【０００５】
本考案の効果は、これまでの除草作業を数倍も楽にしてくれる考案であると同時に高齢化の進む農村部等において、除草作業は作物の植え付けや収穫作業よりはるかに労力を伴うため、腰への負担を大いに軽減できるばかりか田んぼや河川敷など傾斜面も立ったままで作業ができるため、身の安全を十分確保できる利点を持つ考案である。また、前述のように、道路、公園等の除草作業にも、寄せる、持つ、運ぶ、積むの四拍子の便利さと仕事の効率性を高める効果をもたらす考案である。
【考案を実施するための最良の形態】
【０００６】
熊手の柄は上部先端にロープを通す穴をあけ、２本の熊手を１メートル程度のしっかりしたロープで結び繋ぐ。左手に持つ方の柄の長さは右手の柄より短くしてスナップを効かせて作業が出来るようにする。刈り草のかき寄せ部分は金棒の数を右手用１０本の場合、左手用は５本程度にして持ち易く作業が出来るようにする。また、かき寄せだけの作業を容易くするため左手用の熊手の鉄部に留め金を付け右手用に引っ掛けて２本を揃えて行うことで集める作業が楽に出来る事になる。
【実施例】
【０００７】
以下、添付図面に従って一実施例を説明する。１は耐久性プラスチック等適宜素材にて形成された丸い棒状の熊手本体の柄、２は連結ロープを通すための穴でロープ３を穴に通し結び目をつくり２本を繋ぐ。刈り草のかき寄せ部分の金棒４はステンレス材又は鋼鉄合金などの弾力性のある材質を使うことで耐久性を持たせる。また、持つ、運ぶの作業を容易くするため右手用の柄を長く左手用を短くする。左手のかき寄せ金棒の付け根部分に連結用留め金５で右手用の金棒の付け根部分の横棒６に引っ掛ける形でジョイントし２本を一緒に持てるようにする。
【図面の簡単な説明】
【０００８】
【図１】本考案連結ロープ付両手熊手を示す正面図である。
【図２】本考案両手熊手の左手用断面図である。
【符号の説明】
【０００９】
１  熊手本体の柄
２  ロープを通す穴
３  ２本の熊手をつなぐロープ
４  刈り草のかき寄せ部分の金棒
５  連結用留め金
６  金棒付け根部分の横棒
【図１】
0003134632.tif 000003
【図２】
0003134632.tif 000004
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
右手用と左手用それぞれ二つの熊手に連結用ロープを付けて一対としてなる事を特徴とする連結ロープ付両手熊手。
【請求項２】
熊手の柄を利き手用を長く非利き手用を短くしてなる事を特徴とする請求項１記載の連結ロープ付両手熊手。
【請求項３】
熊手のかき寄せ金棒を利き手用本数に対し非利き手用は半数程度にし、かき寄せ金棒を一定の角度で手前側に段々短くして斜めにする事を特徴とした請求項１又は請求項２記載の連結ロープ付両手熊手。
【請求項４】
両手熊手の片方のかき寄せ金棒の付根部分の横棒に連結用留め金を付け、もう片方の金棒付根部分の横棒を受け金となす事を特徴とする請求項１〜３のいずれか１項記載の連結ロープ付両手熊手。
(57)【要約】      （修正有）【課題】スポーツ観戦や野外キャンプ等で冷たい場所へ座るときや寝そべるときに身体が冷える。また、地面からの水のしみこみや急な天候の変化で雨が降り出し衣類が濡れることがある。【解決手段】保温性、防水性があるエアーシートを利用し、広げて簡易マットとして使用し１辺を２つ折にして頭にかぶり雨用簡易コートとして使用する。さらに３つに折り６つ折の状態にして座布団として使用できる。ただし、形態の変化が容易にできるようにボタン、ファスナー、マジックテープ、粘着テープ等のいずれかで折を留められるようにしておく。【選択図】図１
0003134631.tif 000002
【実用新案登録請求の範囲】
【請求項１】
エアーシートにボタン、ファスナー、マジックテープ、粘着テープ等のいずれかを取り付けることにより折を留めて容易に変形し、簡易マット、雨用簡易コート、座布団等に使用できる多機能な座布団
【考案の詳細な説明】
【技術分野】
【０００１】
本考案はエアーシートを利用し、簡易マット、雨用簡易コート等にも使用できる、おもにスポーツ観戦や野外キャンプ等で冷たい場所へ座るときに使用する多機能座布団である。
【背景技術】
【０００２】
実願平９−２９３７号があるが布製にすぎない。
【特許文献１】実願平９−２９３７号公報
【考案の開示】
【考案が解決しようとする課題】
【０００３】
スポーツ観戦や野外キャンプ等で冷たい場所へ座るときや寝そべるときに身体が冷える。また、地面からの水のしみこみや急な天候の変化で雨が降り出し衣類が濡れることがある。
【課題を解決するための手段】
【０００４】
保温性、防水性があるエアーシートを利用し、広げて簡易マットとして使用する。１辺を２つ折にして頭にかぶり雨用簡易コートとして使用する。さらに３つに折り６つ折の状態にして座布団として使用する。ただし、形態の変化が容易にできるようにボタン、ファスナー、マジックテープ、粘着テープ等のいずれかで折を留められるようにしておく。
【考案を実施するための最良の形態】
【０００５】
長方形のエアーシート（寸法例８０ｃｍ＊１５０ｃｍ）を広げた状態は簡易マットとして使用でき、雨用簡易コートとして使用する場合は頭を入れる部分の１辺（寸法例８０ｃｍ）を２つ折にして広がらないようにボタン、ファスナー、マジックテープ、粘着テープ等のいずれかで折を留めるその部分をかぶる。広げた状態から６つ折にすると（寸法例４０ｃｍ＊５０ｃｍ）座布団として使用できる。この時もボタン、ファスナー、マジックテープ、粘着テープ等のいずれかで折を留める。
【産業上の利用可能性】
【０００６】
座布団、簡易マット、雨用簡易コート
【図面の簡単な説明】
【０００７】
【図１】座布団、簡易マット、雨用簡易コートの写図である。
【図２】エアーシートの拡大図である。
【符号の説明】
【０００８】
ａ  簡易マット
ｂ  雨用簡易コート
ｃ  座布団
１  エアーシートの気泡部分
【図１】
0003134631.tif 000003
【図２】
0003134631.tif 000004
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
エアーシートにボタン、ファスナー、粘着テープ等のいずれかを取り付けることにより折を留めて容易に変形し、簡易マット、雨用簡易コート、座布団等に使用できる多機能な座布団
【手続補正２】
【補正対象書類名】明細書
【補正対象項目名】０００２
【補正方法】変更
【補正の内容】
【０００２】
実願平９−２９３７号と実願平７−６８４５号があるがいずれも構造的に違うものである。
【特許文献１】実願平９−２９３７号
【特許文献２】実願平７−６８４５号
【手続補正３】
【補正対象書類名】明細書
【補正対象項目名】０００４
【補正方法】変更
【補正の内容】
【０００４】
保温性、防水性があるエアーシートを利用し、広げて簡易マットとして使用する１辺を２つ折にして頭にかぶり雨用簡易コートとして使用する。さらに３つに折り６つ折の状態にして座布団として使用する。ただし、形態の変化が容易にできるようにボタン、ファスナー、粘着テープ等のいずれかで折を留められるようにしておく。
【手続補正４】
【補正対象書類名】明細書
【補正対象項目名】０００５
【補正方法】変更
【補正の内容】
【０００５】
長方形のエアーシート（寸法例８０ｃｍ＊１５０ｃｍ）を広げた状態は簡易マットとして使用でき、雨用簡易コートとして使用する場合は頭を入れる部分の１辺（寸法例８０ｃｍ）を２つ折にして広がらないようにボタン、ファスナー、粘着テープ等のいずれかで折を留めるその部分をかぶる。広げた状態から６つ折にすると（寸法例４０ｃｍ＊５０ｃｍ）座布団として使用できる。この時もボタン、ファスナー、粘着テープ等のいずれかで折を留める。